(57)【要約】【課題】機器へのストラップの取り付け作業を容易に短時間で行うことができ、かつ、機器の外観意匠に与える影響を軽減可能なストラップの係止装置を提供する。【解決手段】機器にストラップを取り付けるための係止装置は、機器の筐体の表面に開口する凹部と、凹部内に格納され、凹部から出没するストラップ係止部と、ストラップ係止部と協働し、ストラップ係止部の出没を操作するための操作子とを備える。【選択図】図４
2010283596.tif 000002
【特許請求の範囲】
【請求項１】
機器にストラップを取り付けるための係止装置であって、
前記機器の筐体の表面に開口する凹部と、
前記凹部内に格納され、前記凹部から出没するストラップ係止部と、
前記ストラップ係止部と協働し、前記ストラップ係止部の出没を操作するための操作子と、
を備えることを特徴とする係止装置。
【請求項２】
請求項１に記載の係止装置であって、
前記ストラップ係止部は、前記ストラップを係止するための環状の係止部を前記凹部の開口面側に有し、
前記操作子の操作により前記ストラップ係止部が前記凹部の開口面に近づくに従って、前記凹部から突出する前記係止部の環状の面積が拡大することを特徴とする係止装置。
【請求項３】
請求項１に記載の係止装置であって、
前記ストラップ係止部は、前記ストラップを係止するための鉤状の係止部を前記凹部の開口面側に有し、かつ、前記係止部の先端部分を格納するための係止孔を有し、
前記ストラップ係止部が前記凹部内に格納されているとき、前記係止部の前記先端部分が前記係止孔に格納されるため前記係止部は環状であり、前記操作子の操作により前記ストラップ係止部が前記凹部から突出すると、前記係止部に切欠部が形成されることを特徴とする係止装置。
【発明の詳細な説明】
【技術分野】
【０００１】
本発明は、携帯電話機やデジタルカメラ等の携帯電子機器における、当該機器に取り付けられるストラップの係止装置に関する。
【背景技術】
【０００２】
携帯電話機やデジタルカメラ等の携帯電子機器には、当該機器にストラップを取り付けるための構造が一般的に設けられている。図１７、図１８及び図１９は、折り畳み式の携帯電話機に設けられた、ストラップを取り付けるための構造の各例を示す。図１７、図１８及び図１９に示された携帯電話機の機器本体９０１には、ストラップ９０３を取り付けるための係止部９０２ａ，９０２ｂ，９０２ｃが設けられている。
【０００３】
図１７に示した例では、機器本体９０１に形成された凸部が係止部９０２ａである。図１８に示した例では、機器本体９０１に形成された孔部が係止部９０２ｂである。図１９に示した例では、機器本体９０１に形成された凹部が係止部９０２ｃである。携帯電話機のユーザ等がストラップ９０３を機器本体９０１に取り付ける際には、ストラップ９０３の取り付け紐９０４を係止部９０２ａ，９０２ｂ，９０２ｃに挿通した後、ストラップ紐９０５を取り付け紐９０４の環状端部に挿通し、ストラップ紐９０５を強く引いて係止部９０２ａ，９０２ｂ，９０２ｃに取り付け紐９０４を巻き締める。
【先行技術文献】
【特許文献】
【０００４】
【特許文献１】特許第３４３００７８号明細書
【発明の概要】
【発明が解決しようとする課題】
【０００５】
しかし、図１７に示した構造においては、機器本体９０１に形成された凸状の係止部９０２ａ、及び係止部９０２ａに巻き締められた塊状の取り付け紐９０４が、携帯電話機の外観意匠を損ねる。また、図１８に示した構造においては、機器本体９０１に形成された孔部が係止部９０２ｂである。このため、係止部９０２ｂは外観意匠を損なわないが、係止部９０２ｂに巻き締められた塊状の取り付け紐９０４が外観意匠を損ねる。
【０００６】
一方、図１９に示した構造においては、ストラップ９０３の取り付け紐９０４を凹状の係止部９０２ｃに挿通する際に、取り付け紐９０４が係止部９０２ｃの途中で引っ掛かる。このため、ストラップ９０３の取り付け作業が容易ではなく、かつ、ストラップ９０３の取り付けに比較的長い時間を要する。
【０００７】
特許文献１に開示された「携帯電子機器用ストラップの取付構造」は、図２０に示すように、携帯電話無線機２の筐体３にストラップ７２が取り付けられる構造であって、筐体３に表面に開口するストラップ取付用の凹部６を設け、この凹部６内にストラップ７２の取付紐７２ａを係止するストラップ係止部材４を出没自在に配設し、このストラップ係止部材４は、ストラップ取付状態において先端部が凹部６の内面に当接するような位置に位置付けられている構成としてある。
【０００８】
しかし、当該取付構造にあっては、ストラップ係止部材４は凹部６内を移動するだけなので、ストラップ７２を取り付ける際には取付紐７２ａを狭小な凹部６内でストラップ係止部材４の形に広げる必要がある。また、ストラップ７２の取り付け中は、図２０（ｂ）に示す圧縮コイルスプリング９による係止状態になろうとする力がストラップ係止部材４に常に掛かるため、図２０（ａ）に示すストラップ４係止部材に取り付けられた操作子５を固定するために片手を取られる。このように、当該取付構造であっても、ストラップの取り付け作業を容易には行えない。また、筐体３の表面に凹部が２つ必要であるため、外観意匠が損なわれるという問題は解決されない。
【０００９】
本発明の目的は、機器へのストラップの取り付け作業を容易に短時間で行うことができ、かつ、機器の外観意匠に与える影響を軽減可能なストラップの係止装置を提供することである。
【課題を解決するための手段】
【００１０】
本発明は、機器にストラップを取り付けるための係止装置であって、前記機器の筐体の表面に開口する凹部と、前記凹部内に格納され、前記凹部から出没するストラップ係止部と、前記ストラップ係止部と協働し、前記ストラップ係止部の出没を操作するための操作子と、を備える係止装置を提供する。
【００１１】
上記構成によれば、ストラップを取り付ける際にストラップ係止部が凹部から突出した状態が維持されるため、ストラップの取り付け作業を容易にかつ短時間で実施できる。また、ストラップの取り付け後は、ストラップ係止部を凹部内に格納できるため、機器の外観意匠が損なわれることを軽減できる。
【００１２】
上記係止装置では、前記ストラップ係止部は、前記ストラップを係止するための環状の係止部を前記凹部の開口面側に有し、前記操作子の操作により前記ストラップ係止部が前記凹部の開口面に近づくに従って、前記凹部から突出する前記係止部の環状の面積が拡大する。
【００１３】
上記構成によれば、ストラップを取り付ける際に係止部の環状面積を拡大するため、ストラップの取り付け作業をより容易にかつ短時間で実施できる。また、ストラップの取り付け後は、係止部を凹部内に格納できるため、携帯の外観意匠が損なわれることを軽減できる。
【００１４】
上記係止装置では、前記ストラップ係止部は、前記ストラップを係止するための鉤状の係止部を前記凹部の開口面側に有し、かつ、前記係止部の先端部分を格納するための係止孔を有し、前記ストラップ係止部が前記凹部内に格納されているとき、前記係止部の前記先端部分が前記係止孔に格納されるため前記係止部は環状であり、前記操作子の操作により前記ストラップ係止部が前記凹部から突出すると、前記係止部に切欠部が形成される。
【００１５】
上記構成によれば、ストラップを取り付ける際に係止部にストラップの取り付け紐を巻き締める作業がないため、ストラップの取り付け作業をより容易にかつ短時間で実施できる。また、ストラップの取り付け後は、ストラップ係止部を凹部内に格納できるため、機器の外観意匠が損なわれることを軽減できる。
【発明の効果】
【００１６】
本発明に係る係止装置によれば、ストラップを取り付ける際にストラップ係止部が凹部から突出した状態が維持されるため、ストラップの取り付け作業を容易に短時間で実施できる。また、ストラップの取り付け後は、ストラップ係止部を凹部内に格納できるため、機器の外観意匠が損なわれることを軽減できる。
【図面の簡単な説明】
【００１７】
【図１】携帯電子機器にストラップを取り付けるための第１の実施形態の構造におけるストラップ係止部の格納状態を示す図
【図２】携帯電子機器にストラップを取り付けるための第１の実施形態の構造におけるストラップ係止部の突出状態を示す図
【図３】携帯電子機器にストラップを取り付けるための第１の実施形態の構造におけるストラップ係止部の格納状態を示す拡大透視図
【図４】携帯電子機器にストラップを取り付けるための第１の実施形態の構造におけるストラップ係止部の突出状態を示す拡大透視図
【図５】携帯電子機器にストラップを取り付けるための第２の実施形態の構造におけるストラップ係止部の格納状態を示す図
【図６】携帯電子機器にストラップを取り付けるための第２の実施形態の構造におけるストラップ係止部の突出状態を示す図
【図７】携帯電子機器にストラップを取り付けるための第２の実施形態の構造におけるストラップ係止部の格納状態を示す拡大透視図
【図８】携帯電子機器にストラップを取り付けるための第２の実施形態の構造におけるストラップ係止部の突出状態を示す拡大透視図
【図９】携帯電子機器にストラップを取り付けるための第３の実施形態の構造におけるストラップ係止部の格納状態を示す図
【図１０】携帯電子機器にストラップを取り付けるための第３の実施形態の構造におけるストラップ係止部の突出状態を示す図
【図１１】携帯電子機器にストラップを取り付けるための第３の実施形態の構造におけるストラップ係止部の格納状態を示す拡大透視図
【図１２】携帯電子機器にストラップを取り付けるための第３の実施形態の構造におけるストラップ係止部の突出状態を示す拡大透視図
【図１３】携帯電子機器にストラップを取り付けるための第４の実施形態の構造におけるストラップ係止部の格納状態を示す図
【図１４】携帯電子機器にストラップを取り付けるための第４の実施形態の構造におけるストラップ係止部の突出状態を示す図
【図１５】携帯電子機器にストラップを取り付けるための第４の実施形態の構造におけるストラップ係止部の格納状態を示す拡大透視図
【図１６】携帯電子機器にストラップを取り付けるための第４の実施形態の構造におけるストラップ係止部の突出状態を示す拡大透視図
【図１７】折り畳み式の携帯電話機に設けられた、ストラップを取り付けるための構造の例を示す図
【図１８】折り畳み式の携帯電話機に設けられた、ストラップを取り付けるための構造の例を示す図
【図１９】折り畳み式の携帯電話機に設けられた、ストラップを取り付けるための構造の例を示す図
【図２０】特許文献１に開示された携帯電子機器用ストラップの取付構造を示す図
【発明を実施するための形態】
【００１８】
以下、本発明の実施形態について、図面を参照して説明する。
【００１９】
（第１の実施形態）
図１は、携帯電子機器にストラップを取り付けるための第１の実施形態の構造におけるストラップ係止部の格納状態を示す図であり、図２は、第１の実施形態の構造におけるストラップ係止部の突出状態を示す図である。また、図３は、携帯電子機器にストラップを取り付けるための第１の実施形態の構造におけるストラップ係止部の格納状態を示す拡大透視図であり、図４は、第１の実施形態の構造におけるストラップ係止部の突出状態を示す拡大透視図である。なお、図１〜図４に示した携帯電子機器は、折り畳み式の携帯電話機である。
【００２０】
図１〜図４に示すように、携帯電子機器の機器本体１０１には、ストラップ係止部を格納するための格納孔１０３が設けられている。ストラップ係止部は、格納孔１０３から出没自在な係止部本体１０２と、係止部本体１０２の出没を操作する操作子１０４と、操作子１０４と噛み合う歯車１０６と、歯車１０６に接合され係止部本体１０２を可動させる可動ネジ１０７と、ガイド溝１０９と、ストラップの取り付け紐を巻き締める係止部１１０とを備える。なお、機器本体１０１には、操作子１０４が出没するための開口部１０５、及びガイド溝１０９に対応して係止部本体１０２の可動域を制御するガイド突起１０８も設けられている。
【００２１】
本実施形態では、ストラップの取り付けは次のようにして行われる。先ず、ユーザは、操作子１０４を図１の矢印ａ方向に回転して、図１の矢印Ａ方向に係止部本体１０２を移動する。操作子１０４を図１の矢印ａ方向に回転すると歯車１０６が回転して、係止部本体１０２が格納孔１０３から突出する。ユーザは、ストラップの係止作業が容易となる図２に示す位置まで係止部本体１０２を移動させる。次に、ユーザは、ストラップの取り付け紐を係止部１１０に巻き締める。取り付け紐の巻き締めについては、図１７、図１８及び図１９を参考に詳しく説明したため、ここでの詳細な説明は省略する。最後に、ユーザは、操作子１０４を図１の矢印ｂ方向に回転して、図１の矢印Ｂ方向に係止部本体１０２を移動する。ユーザは、係止部本体１０２が格納孔１０３に格納された図１の状態に戻す。
【００２２】
本実施形態によれば、ストラップを取り付ける際に係止部１１０が機器本体１０１の外部に出現した状態が維持される。このため、ユーザは両手を自由に使用することができ、ストラップの取り付け作業を容易にかつ短時間で実施できる。また、ストラップの取り付け後は、係止部１１０を機器本体１０１内部に格納できる。このため、係止部１１０や係止部１１０に巻き締めた取り付け紐の塊状の存在により、携帯電子機器の外観意匠が損なわれることを軽減できる。
【００２３】
（第２の実施形態）
図５は、携帯電子機器にストラップを取り付けるための第２の実施形態の構造におけるストラップ係止部の格納状態を示す図であり、図６は、第２の実施形態の構造におけるストラップ係止部の突出状態を示す図である。また、図７は、携帯電子機器にストラップを取り付けるための第２の実施形態の構造におけるストラップ係止部の格納状態を示す拡大透視図であり、図８は、第２の実施形態の構造におけるストラップ係止部の突出状態を示す拡大透視図である。なお、図５〜図８に示した携帯電子機器は、折り畳み式の携帯電話機である。
【００２４】
図５〜図８に示すように、携帯電子機器の機器本体２０１には、第１の実施形態と同様に、ストラップ係止部を格納するための格納孔１０３が設けられている。ストラップ係止部は、格納孔１０３から出没自在であり操作子の機能を兼ねる係止部本体３０１と、係止部本体３０１の押下操作によって回転動作する回転カム３０２と、回転カム３０２に圧接して、係止部本体３０１の押下方向の反対方向に常時付勢されている圧縮コイルスプリング３０３と、係止部本体３０１及び回転カム３０２の可動域を制御するカムガイド３０４と、ストラップの取り付け紐を巻き締める係止部１１０とを備える。なお、係止部本体３０１は、回転カム３０２を押下げるための押下カム３０５を有する。
【００２５】
本実施形態では、ストラップの取り付けは次のようにして行われる。先ず、ユーザは、係止部本体３０１を図５の矢印ｂ方向に押下して、係止部本体３０１を図５の矢印ａ方向に移動させる。その結果、ストラップの係止作業が容易となる図６の状態となる。次に、ユーザは、ストラップの取り付け紐を係止部１１０に巻き締める。取り付け紐の巻き締めについては、図１７、図１８及び図１９を参考に詳しく説明したため、ここでの詳細な説明は省略する。最後に、ユーザは、再び係止部本体３０１を図５の矢印ｂ方向に押下して、係止部本体３０１が格納孔１０３に格納された図５の状態に戻す。
【００２６】
本実施形態によれば、狭小な格納孔１０３の中に格納される係止部本体３０１を押下操作するため、第１の実施形態の場合に比べて僅かにストラップを取り付ける作業の困難さは増加する。しかし、第１の実施形態で説明した操作子１０４及び操作子１０４を搭載するための開口部１０５を削減できるため、携帯電子機器の外観意匠が損なわれることをさらに軽減できる。
【００２７】
（第３の実施形態）
図９は、携帯電子機器にストラップを取り付けるための第３の実施形態の構造におけるストラップ係止部の格納状態を示す図であり、図１０は、第３の実施形態の構造における係止部の突出状態を示す図である。また、図１１は、携帯電子機器にストラップを取り付けるための第３の実施形態の構造におけるストラップ係止部の格納状態を示す拡大透視図であり、図１２は、第３の実施形態の構造における係止部の突出状態を示す拡大透視図である。なお、図９〜図１２に示した携帯電子機器は、折り畳み式の携帯電話機である。
【００２８】
図９〜図１２に示すように、携帯電子機器の機器本体１０１には、第１の実施形態と同様に、ストラップ係止部を格納するための格納孔１０３、開口部１０５及びガイド突起１０８が設けられている。ストラップ係止部は、格納孔１０３に格納された係止部本体５０１と、第１の実施形態と同様の操作子１０４、歯車１０６、可動ネジ１０７及びガイド溝１０９と、弾性を有する係止部５０２とを備える。
【００２９】
本実施形態では、ストラップの取り付けは次のようにして行われる。先ず、ユーザは、操作子１０４を図９の矢印ａ方向に回転して、図９の矢印Ａ方向に係止部本体５０１を移動する。操作子１０４を図９の矢印ａ方向に回転すると歯車１０６が回転して、係止部本体５０１が図９に示す矢印Ａ方向に移動し、係止部５０２が格納孔１０３からさらに突出する。ユーザは、係止部５０２の弾性を利用して、係止作業が容易となる図１０に示す状態まで係止部５０２の環状面積を広げる。次に、ユーザは、ストラップの取り付け紐を係止部１１０に巻き締める。取り付け紐の巻き締めについては、図１７、図１８及び図１９を参考に詳しく説明したため、ここでの詳細な説明は省略する。最後に、ユーザは、操作子１０４を図９の矢印ｂ方向に回転して、図９の矢印Ｂ方向に係止部本体５０１を移動する。ユーザは、係止部本体５０１が格納孔１０３に格納された図９の状態に戻す。
【００３０】
本実施形態によれば、ストラップを取り付ける際に係止部５０２の環状面積を格納状態から広げることができる。このため、第１の実施形態の場合に比べて、ストラップの取り付け作業をさらに容易にかつ短時間で実施できる。
【００３１】
（第４の実施形態）
図１３は、携帯電子機器にストラップを取り付けるための第４の実施形態の構造におけるストラップ係止部の格納状態を示す図であり、図１４は、第４の実施形態の構造におけるストラップ係止部の突出状態を示す図である。また、図１５は、携帯電子機器にストラップを取り付けるための第４の実施形態の構造におけるストラップ係止部の格納状態を示す拡大透視図であり、図１６は、第４の実施形態の構造におけるストラップ係止部の突出状態を示す拡大透視図である。なお、図１３〜図１６に示した携帯電子機器は、折り畳み式の携帯電話機である。
【００３２】
図１３〜図１６に示すように、携帯電子機器の機器本体１０１には、第１の実施形態と同様に、ストラップ係止部を格納するための格納孔１０３、開口部１０５及びガイド突起１０８が設けられている。ストラップ係止部は、格納孔１０３から出没自在な係止部本体７０１と、第１の実施形態と同様の操作子１０４、可動ネジ１０７及びガイド溝１０９と、鉤状の係止部７０２とを備える。なお、係止部本体７０１は、係止部７０２の先端部分を格納するための係止孔７０３を有する。
【００３３】
本実施形態では、ストラップ９０３の取り付けは次のようにして行われる。先ず、ユーザは、操作子１０４を図１３の矢印ａ方向に回転して、図１３の矢印Ａ方向に係止部本体７０１を移動する。操作子１０４を図１３の矢印ａ方向に回転すると、係止部本体７０１が格納孔１０３から突出する。ユーザは、ストラップ９０３の係止作業が容易となる図１４に示す位置まで係止部本体７０１を移動させる。次に、ユーザは、係止部７０２の先端部分にストラップ９０３の取り付け紐９０４の環状端部を挿通する。最後に、ユーザは、操作子１０４を図１３の矢印ｂ方向に回転して、図１３の矢印Ｂ方向に係止部本体７０１を移動する。ユーザは、係止部本体７０１が格納孔１０３に格納され、係止部７０２の先端部分が係止孔７０３に格納された図１３の状態に戻す。
【００３４】
本実施形態によれば、ストラップを取り付ける際に係止部７０２に取り付け紐を巻き締める作業がないため、第１の実施形態の場合に比べて、ストラップの取り付け作業をさらに容易にかつ短時間で実施できる。また、係止部７０２に取り付けたストラップ９０３の取り付け紐９０４は塊状とはならない。このため、第１の実施形態の場合に比べて、携帯電子機器の外観意匠が損なわれることをさらに軽減できる。
【符号の説明】
【００３５】
１０１，２０１  機器本体
１０２，３０１，５０１，７０１  係止部本体
１０３  格納孔
１０４  操作子
１０５  開口部
１０６  歯車
１０７  可動ネジ
１０８  ガイド突起
１０９  ガイド溝
１１０，５０２，７０２  係止部
３０２  回転カム
３０３  圧縮コイルスプリング
３０４  カムガイド
３０５  押下カム
７０３  係止孔
９０３  ストラップ本体
９０４  取り付け紐
９０５  ストラップ紐
【図１】
2010283596.tif 000003
【図２】
2010283596.tif 000004
【図３】
2010283596.tif 000005
【図４】
2010283596.tif 000006
【図５】
2010283596.tif 000007
【図６】
2010283596.tif 000008
【図７】
2010283596.tif 000009
【図８】
2010283596.tif 000010
【図９】
2010283596.tif 000011
【図１０】
2010283596.tif 000012
【図１１】
2010283596.tif 000013
【図１２】
2010283596.tif 000014
【図１３】
2010283596.tif 000015
【図１４】
2010283596.tif 000016
【図１５】
2010283596.tif 000017
【図１６】
2010283596.tif 000018
【図１７】
2010283596.tif 000019
【図１８】
2010283596.tif 000020
【図１９】
2010283596.tif 000021
【図２０】
2010283596.tif 000022